(57)【要約】【課題】発光面に対する側縁部付近の色むらを改善することができること。【解決手段】照明器具１は、発光部２とケース３とカバー４とを備える。発光部２は、光色の異なる複数の光源が一方向に沿って列状に配設されてなるとともに、前記一方向に沿って隣接する光色が互いに異なるように配置される。ケース３は、一面が開口する箱状に形成され、前記一面を前記複数の光源の各々の光軸が通る発光面として前記発光部２を内部に収納する。カバー４は、透光性を有して前記一面を覆う。そして、カバー４は、等方性拡散部４ａと異方性拡散部４ｂとを備える。等方性拡散部４ａは、前記一方向に沿って前記複数の光源と対向して配置され、且つ前記複数の光源より入射された光を等方的に拡散する。異方性拡散部４ｂは、等方性拡散部４ａの前記一方向に沿った側縁部に隣接して配置され、且つ前記複数の光源より入射された光を前記一方向に沿った方向にのみ拡散する。【選択図】図１
2011171118.tif 000002
【特許請求の範囲】
【請求項１】
光色の異なる複数の光源が一方向に沿って列状に配設されてなるとともに、前記一方向
に沿って隣接する光色が互いに異なるように配置される発光部と、
一面が開口する箱状に形成され、前記一面を前記複数の光源の各々の光軸が通る発光面
として前記発光部を内部に収納するケースと、
透光性を有して前記一面を覆うカバーと、を備える照明器具において、
前記カバーは、前記一方向に沿って前記複数の光源と対向して配置され且つ前記複数の
光源より入射された光を等方的に拡散する等方性拡散部と、前記等方性拡散部の前記一方
向に沿った側縁部に隣接して配置され且つ前記複数の光源より入射された光を前記一方向
に沿った方向にのみ拡散する異方性拡散部と、を備えることを特徴とする照明器具。
【請求項２】
前記複数の光源のうち前記一方向の中心部から離れて配置される光源ほど、光軸を前記
中心部側へより大きく傾斜させて配置されることを特徴とする請求項１記載の照明器具。
【請求項３】
該照明器具は、前記ケースの開口内において、前記一方向に対する両端部の前記一面近
傍に、前記複数の光源から放射される光を反射する反射部を備え、
前記反射部は、前記一方向の略中心部側へ向けて傾斜する反射面を有していることを特
徴とする請求項１記載の照明器具。
【請求項４】
前記発光部は、前記複数の光源が前記一方向に沿って２列以上に配設されてなるととも
に、前記一方向及び前記一方向と直交する方向に沿って隣接する光色が互いに異なるよう
に配置され、
前記異方性拡散部は、前記等方性拡散部の前記一方向に沿った側縁部に隣接して配置さ
れる第１の異方性拡散部と、前記等方性拡散部の前記一方向に対する端部に隣接して配置
される第２の異方性拡散部と、を備え、
前記第１の異方性拡散部は、前記複数の光源より入射された光を前記一方向に沿った方
向にのみ拡散し、
前記第２の異方性拡散部は、前記複数の光源より入射された光を前記一方向と直交する
方向に沿った方向にのみ拡散することを特徴とする請求項１記載の照明器具。
【発明の詳細な説明】
【技術分野】
【０００１】
本発明は照明器具に関するもので、より詳細には光色の異なる複数の光源が列状に配設
される照明器具に関するものである。
【背景技術】
【０００２】
従来より、光色の異なる複数の光源が列状に配設された種々の照明器具が提供されてい
る。この種の照明器具は、発光部と、ケースと、カバーとを備える。前記発光部は、光色
の異なる複数の光源が一方向に沿って列状に配設されてなるとともに、前記一方向に沿っ
て隣接する光色が互いに異なるように配置される。ここで言う前記光源とは、例えば発光
ダイオード（ＬＥＤ）等である。そして、前記発光部は、複数のＬＥＤが例えば赤色、緑
色、青色、赤色、緑色、青色・・・の順で繰り返すように配置されてなる。前記ケースは
、一面が開口する箱状に形成され、前記一面を前記複数のＬＥＤの各々の光軸が通る発光
面として前記発光部を内部に収納する。前記カバーは、透光性を有して、前記一面を覆っ
ている。この様な照明器具は、複数の光源から放射された光が混合することにより所望の
光色（例えば、白色）を得ることができる。
【０００３】
ところで、上述の照明器具は、図９に示すように発光面において、前記一方向（図中の
左右方向）の中心部付近の領域ａでは光が良好に混合して所望の白色が得られる。しかし
、前記一方向に対する両端部付近の領域ｂ１，ｃ１では光が良好に混合せずに前記光源の
固有の色が目立ち、色むらが発生するという問題があった。
【０００４】
これに対して、特許文献１に記載される照明器具は、前記両端部に光拡散材を混入した
カバー部材を備えることにより色むらの解消を図っている。
【先行技術文献】
【特許文献】
【０００５】
【特許文献１】特開２００９−１２９６８９号公報
【発明の概要】
【発明が解決しようとする課題】
【０００６】
しかしながら、従来の照明器具の色むらは、図９に示すように前記一方向に対する両端
部付近の領域ｂ１，ｃ１だけでなく、前記一方向に沿った側縁部付近の領域ｂ２，ｃ２に
も発生している。従って、特許文献１の照明器具は、前記両端部の色むらを改善すること
はできても、前記側縁部付近の色むらを改善することはできないという問題があった。
【０００７】
本発明は上記事由に鑑みて為されたものであり、その目的は、発光面に対する側縁部付
近の色むらを改善することができる照明器具を提供することにある。
【課題を解決するための手段】
【０００８】
上記課題を解決するために第１の発明は、光色の異なる複数の光源が一方向に沿って列
状に配設されてなるとともに、前記一方向に沿って隣接する光色が互いに異なるように配
置される発光部と、一面が開口する箱状に形成され、前記一面を前記複数の光源の各々の
光軸が通る発光面として前記発光部を内部に収納するケースと、透光性を有して前記一面
を覆うカバーと、を備える照明器具において、前記カバーは、前記一方向に沿って前記複
数の光源と対向して配置され且つ前記複数の光源より入射された光を等方的に拡散する等
方性拡散部と、前記等方性拡散部の前記一方向に沿った側縁部に隣接して配置され且つ前
記複数の光源より入射された光を前記一方向に沿った方向にのみ拡散する異方性拡散部と
、を備えることを特徴とする。
【０００９】
第２の発明は、第１の発明において、前記複数の光源のうち前記一方向の中心部から離
れて配置される光源ほど、光軸を前記中心部側へより大きく傾斜させて配置されることを
特徴とする。
【００１０】
第３の発明は、第１の発明において、該照明器具は、前記ケースの開口内において、前
記一方向に対する両端部の前記一面近傍に、前記複数の光源から放射される光を反射する
反射部を備え、前記反射部は、前記一方向の略中心部側へ向けて傾斜する反射面を有して
いることを特徴とする。
【００１１】
第４の発明は、第１の発明において、前記発光部は、前記複数の光源が前記一方向に沿
って２列以上に配設されてなるとともに、前記一方向及び前記一方向と直交する方向に沿
って隣接する光色が互いに異なるように配置され、前記異方性拡散部は、前記等方性拡散
部の前記一方向に沿った側縁部に隣接して配置される第１の異方性拡散部と、前記等方性
拡散部の前記一方向に対する端部に隣接して配置される第２の異方性拡散部と、を備え、
前記第１の異方性拡散部は、前記複数の光源より入射された光を前記一方向に沿った方向
にのみ拡散し、前記第２の異方性拡散部は、前記複数の光源より入射された光を前記一方
向と直交する方向に沿った方向にのみ拡散することを特徴とする。
【発明の効果】
【００１２】
本発明では、発光面に対する側縁部付近の色むらを改善することができるという効果が
ある。
【図面の簡単な説明】
【００１３】
【図１】本発明の実施形態１の分解斜視図である。
【図２】同上における断面図である。
【図３】同上における発光面に対する色むらの説明図である。
【図４】本発明の実施形態２の分解斜視図である。
【図５】同上における断面図である。
【図６】同上における他の一例の分解斜視図である。
【図７】同上における他の一例の断面図である。
【図８】同上における別の一例の分解斜視図である。
【図９】従来の照明器具の発光面に対する色むらの説明図である。
【発明を実施するための形態】
【００１４】
（実施形態１）
以下、本発明の実施形態１の照明器具１について、図１〜図３を参照して説明する。な
お、以下の説明では、特に断りのない限り、図１において前後左右上下方向を規定して説
明を行う（照明器具１の長手方向を左右方向とし、短手方向を前後方向とする）。また、
図２は、照明器具１を左右方向から見たときの断面図である。但し、これらの方向は、照
明器具１の使用時における方向を制限する趣旨ではない。
【００１５】
照明器具１は、図１及び図２に示すように発光部２と、ケース３と、カバー４と、点灯
回路部（図示せず）と、を備える。
【００１６】
発光部２は、図１及び図２に示すように細長矩形板状に形成された配線基板５と、配線
基板５上面の左右方向に沿って等間隔に１列に配置される６つの光源たる光源パッケージ
６（６ｒ，６ｇ，６ｂ，６ｒ，６ｇ，６ｂ）と、を備える。光源パッケージ６は、各々発
光ダイオード（図示せず）と、略矩形板状に形成された基板７と、透光性を有した略半球
ドーム形状のレンズ部８と、から構成される。具体的に説明すると、基板７上には、それ
ぞれ当該発光ダイオードが実装され、当該発光ダイオードを覆うようにレンズ部８が基板
７上にそれぞれ固着される。ここで、光源パッケージ６ｒは、赤色の発光ダイオードを有
している。また、光源パッケージ６ｇは緑色の発光ダイオードを、光源パッケージ６ｂは
青色の発光ダイオードを、それぞれ有している。すなわち、６つの光源パッケージ６は、
左右方向に沿って隣接する光色が互いに異なるように、配線基板５の左端から右端に亘っ
て赤、緑、青、赤、緑、青の順に配置される。
【００１７】
ケース３は、図１及び図２に示すように左右方向の細長く延び、且つ上面が開口した矩
形箱状に形成されてなる。そして、ケース３は、上面を６つの光源パッケージ６の各々の
光軸が通る発光面として発光部２を互いの長手方向を揃えるように内部に収納する。なお
、ケース３の上下方向から見た外形寸法は、発光部２の外形寸法よりやや大きい程度に設
定されている。ケース３の開口内には、６つの光源パッケージ６内の発光ダイオードとそ
れぞれ電気的に接続される点灯回路部（図示せず）が収納される。前記点灯回路部は、例
えば商用電源より供給される交流電圧をもとに直流電圧を生成し、上記発光ダイオードに
それぞれ印加する。
【００１８】
カバー４は、図１及び図２に示すようにケース３の上面と略同形で、透光性を有した細
長のシート状に形成されている。そして、カバー４は、ケース３の開口を塞ぐように上面
を覆っている。ここで、本実施形態のカバー４は、図１及び図２に示すように等方性拡散
部４ａと、一対の異方性拡散部４ｂ，４ｂと、を備える。
【００１９】
等方性拡散部４ａは、透光性を有する樹脂材料により１００μｍ程度の厚さを有したシ
ート状に形成されたもので、例えば球状の構造体からなるフィラーを含有している。また
、等方性拡散部４ａは、カバー４を左右両端部に亘って前後方向に略３等分したうちの中
央部に位置する。すなわち、等方性拡散部４ａは、図２に示すように左右方向に亘って６
つの光源パッケージ６の真上に対向して配置される。そして、光源パッケージ６から等方
性拡散部４ａへ入射された光は、上方向へ等方的に拡散される。
【００２０】
一対の異方性拡散部４ｂ，４ｂは、透光性を有する樹脂材料により１００μｍ程度の厚
さを有したシート状に形成されたもので、細長の構造体（例えば細長円筒体や細長楕円体
など）からなるフィラーを含有している。また、一対の異方性拡散部４ｂ，４ｂは、それ
ぞれ等方性拡散部４ａの左右方向に沿った両側縁部に隣接して配置される。ここで、本実
施形態の異方性拡散部４ｂ，４ｂは、当該フィラーの長手方向をそれぞれ前後方向に向け
て配置される。従って、６つの光源パッケージ６から異方性拡散部４ｂ，４ｂへ入射され
た光は、フィラーにより屈折されて左右方向に沿って斜め上方向にのみ拡散される。
【００２１】
なお、上述の異方性拡散部４ｂ，４ｂは、細長のフィラーを含有したもの以外にも、例
えばアレイレンズシートのように表面加工により多数の細長の半楕円体が並設されたもの
であってもよい。但し、この場合も異方性拡散部４ｂ，４ｂは、前記半楕円体の長手方向
をそれぞれ前後方向に向けて配置される。
【００２２】
また、ここで言うフィラーは、有機フィラー（アクリル樹脂や、ポリウレタンなど）及
び無機フィラー（シリカ、水酸化アルミニウムなど）のいずれでも良い。
【００２３】
そして、この様な照明器具１は、ケース３の背面側に設けられている取付手段（図示せ
ず）を介して、例えば建物内の壁面や天井面等に取り付けられる。
【００２４】
以下、本実施形態の照明器具１の作用について説明する。従来の特許文献１の照明器具
は、発光面において左右方向に対する両端部付近の色むらを改善することはできても、左
右方向に沿った側縁部付近の色むらを改善することはできなかった。これに対して、本実
施形態の照明器具１は、上述の通り、等方性拡散部４ａと一対の異方性拡散部４ｂ，４ｂ
とを有したカバー４を備える。すなわち、図９に図示される側縁部付近の領域ｂ２，ｃ２
の固有の色を有する光は、異方性拡散部４ｂ，４ｂに入射することで左右方向に沿って斜
め上方向にのみ拡散されて、他の色を有する光と混合され易くなる。その結果、本実施形
態の照明器具１は、発光面において図３に示すような光色を呈する。ここで、図３中の領
域Ａでは、赤、緑、青の３種類の光色が混ざり所望の白色を呈している。なお、領域Ｂ，
Ｃでは、それぞれ固有の１色または２種類の光色のみの混色を呈していて、色むらが生じ
ている。すなわち、照明器具１は、側縁部付近であっても光が良好に混合して、矩形状の
広い範囲に亘って所望の白色を呈している。従って、本実施形態の照明器具１は、発光面
に対して側縁部付近の色むらを改善することができる。
【００２５】
なお、上述の照明器具１では、６つの光源パッケージ６が１列に配置されているが、こ
れに限定されるものではなく、例えば複数の光源パッケージ６が２列以上に亘って配置さ
れてもよい。
【００２６】
（実施形態２）
以下、本発明の実施形態２について、図４〜図８を参照して説明する。尚、本実施形態
は、基本的な構成が実施形態１と共通であるので、共通の構成要素には、同一の符号を付
して説明を省略する。また、図５及び図７は、本実施形態の照明器具１を前後方向から見
たときの断面図である。
【００２７】
実施形態１の照明器具１は、図３に示すように発光面において側縁部付近の色むらだけ
を改善していて、左右方向に対する両端部（領域Ｂ，Ｃ参照）の色むらを改善するには至
らなかった。そこで、本実施形態の照明器具１は、上記の色むらを改善するために、６つ
光源パッケージ６の光軸の方向を変えている点に特徴がある。
【００２８】
先ず、本実施形態の配線基板５は、実施形態１の配線基板５のように平坦な矩形板状に
形成されていない。具体的に説明すると、配線基板５の上面の左右方向中心部５ａ付近は
、図４及び図５に示すようにケ―ス３の内底部に対して平坦に形成される。しかし、配線
基板５の上面は、中心部５ａ付近から左方及び右方へ離れるほど中心部５ａ側へより大き
く傾斜するように形成される。すなわち、配線基板５の上面は、前後方向から見たときに
略円弧状に形成される。
【００２９】
そして、配線基板５の上面に載置される６つ光源パッケージ６ｒ，６ｇ，６ｂ，６ｒ，
６ｇ，６ｂの光軸Ｍ１〜Ｍ３は、それぞれ次のように向けられる。先ず、中心部５ａ付近
に位置する光源パッケージ６ｂ及び６ｒの光軸Ｍ１，Ｍ１は、図５に示すように発光面の
法線方向と平行な方向に向けられる。次に、中心部５ａ付近よりやや離れて位置する光源
パッケージ６ｇ，６ｇの光軸Ｍ２，Ｍ２は、発光面に対して互いに同じ角度だけ中心部５
ａ側へやや傾斜した方向に向けられる。中心部５ａから最も離れて位置する光源パッケー
ジ６ｒ及び６ｂの光軸Ｍ３，Ｍ３は、発光面に対して互いに同じ角度だけ光軸Ｍ２，Ｍ２
よりも中心部５ａ側へ大きく傾斜した方向に向けられる。
【００３０】
すなわち、上述の様な照明器具１は、中心部５ａから離れた位置の光源パッケージ６か
ら放射された光が、他の光色と混合せずにそれぞれ発光面の左端部、及び右端部へ放射さ
れる光の量を低減させることができる。従って、本実施形態の照明器具１は、発光面にお
いて側縁部付近に加えて左右方向に対する両端部の色むらも改善することができる。
【００３１】
ところで、照明器具１は、光軸の方向を変える代わりに、例えば図６及び図７に示すよ
うに反射部９，１０を備えてもよい。反射部９，１０は、ケース３の開口内において、そ
れぞれ左右方向に対する両端部の上面近傍に配置される。ここで反射部９，１０は、図７
に示すように配線基板５の中心部５ａ側へ向けて傾斜する反射面９ａ，１０ａをそれぞれ
有している。すなわち、発光面の左端部付近に配置される光源パッケージ６や、発光面の
右端部付近に配置される光源パッケージ６から放射された光は、それぞれ反射面９ａ，１
０ａで反射される。そして、反射された光は、ケース３内部で他の色を有した光と混合し
、固有の色のまま放射される光の量を低減させることができる。従って、発光面において
側縁部付近に加えて左右方向に対する両端部の色むらも改善することができる。
【００３２】
また、照明器具１は、光軸の方向を変えたり反射部９，１０を備えたりする以外にも、
図８に示すようなカバー４を備えてもよい。ここで、図８中の発光部２は、６つの光源パ
ッケージ６を３組と、これらを１組ずつ配置した３つの配線基板５と、を備える。そして
、合計１８つの光源パッケージ６が、左右方向に沿って３列（前列、中列、後列）に配置
される。さらに、これらの光源パッケージ６は、左右方向及び前後方向に沿って隣接する
光色が互いに異なるように配置される。すなわち、上記３列の光源パッケージ６のうち、
後列は実施形態１と同様に左端から光源パッケージ６ｒ，６ｇ，６ｂ・・・の順に配置さ
れるのに対し、中列は光源パッケージ６ｇ，６ｂ，６ｒ・・・の順に配置され、前列は光
源パッケージ６ｂ，６ｒ，６ｇ・・・の順に配置される。従って、前後方向に対しても赤
色、緑色、青色の３種類の光色を有した光源パッケージ６が配置されて、効率良く白色を
呈することができる。なお、ケース３及びカバー４の前後方向の寸法は、配線基板５を３
列に並べて収納できる程度の大きさに設定されている。
【００３３】
そして、図８中の異方性拡散部４ｂは、矩形状に形成された等方性拡散部４ａを全周に
亘って囲むように配置される。具体的に説明すると、左右方向に沿った両側縁部に隣接し
て配置され（第１の異方性拡散部）、さらに左右方向に対する両端部に隣接して配置され
る（第２の異方性拡散部）。ただし、前記第１の異方性拡散部は、実施形態１と同様に上
記フィラーの長手方向をそれぞれ前後方向に向けて配置されるのに対して、前記第２の異
方性拡散部は、前記長手方向をそれぞれ左右方向に向けて配置される。すなわち、前記第
１の異方性拡散部は、光源パッケージ６より入射された光を左右方向に沿って斜め上方向
にのみ拡散する。また、前記第２の異方性拡散部は、光源パッケージ６より入射された光
を前後方向に沿って斜め上方向にのみ拡散する。従って、たとえ図１の照明器具１に比べ
て大型化されたとしても、上述の様なカバー４を備えることにより、発光面において両側
縁部並びに両端部に亘って色むらを改善することができる。
【符号の説明】
【００３４】
１  照明器具
２  発光部
３  ケース
４  カバー
４ａ  等方性拡散部
４ｂ  異方性拡散部
５  配線基板
６  光源パッケージ
【図１】
2011171118.tif 000003
【図２】
2011171118.tif 000004
【図３】
2011171118.tif 000005
【図４】
2011171118.tif 000006
【図５】
2011171118.tif 000007
【図６】
2011171118.tif 000008
【図７】
2011171118.tif 000009
【図８】
2011171118.tif 000010
【図９】
2011171118.tif 000011